(57)【特許請求の範囲】
【請求項１】
受信した拡散変調信号を相関演算し、相関演算した受信信号のパワーデータを複数シンボルの時間分入力して、各シンボル期間のパワーデータをシンボル期間内のサンプルごとに平均化処理を行って平均パワーデータを算出し、サンプルごとの平均パワーデータを平均データ記憶部に記憶し、平均化処理された平均パワーデータをサンプルごとに第１のしきい値と比較し、前記第１のしきい値より大きいデータのみをアドレスと共に複数のユーザ用の複数の領域のうち送信元のユーザに対応する領域に記憶し、前記第１のしきい値より小さいデータについては平均値を当該領域中の単一のアドレスに記憶することでデータの圧縮を行うことを特徴とする符号分割多重アクセス受信信号のデータ圧縮方法。
【請求項２】
請求項１に記載の符号分割多重アクセス受信信号のデータ圧縮方法により圧縮されたデータの展開を行う符号分割多重アクセス受信信号のデータ展開方法であって、
当該ユーザに対応する領域に記憶された第１のしきい値より大きいデータに対応するアドレスと生成したアドレスとを比較し、一致した場合はデータを出力し、一致しない場合は０を出力することでデータの展開を行って平均データ記憶部に格納することを特徴とする符号分割多重アクセス受信信号のデータ展開方法。
【請求項３】
受信した拡散変調信号を相関演算し、相関演算した受信信号のパワーデータを複数シンボルの時間分入力して、各シンボル期間のパワーデータをシンボル期間内のサンプルごとに平均化処理を行って平均パワーデータを算出し、サンプルごとの平均パワーデータを平均データ記憶部に記憶し、平均化処理された平均パワーデータをサンプルごとに第１のしきい値と比較し、前記第１のしきい値より大きいデータのみをアドレスと共に複数のユーザ用の複数の領域のうち送信元のユーザに対応する領域に記憶し、前記第１のしきい値より小さいデータについては平均値を当該領域中の単一のアドレスに記憶したデータの展開を行う符号分割多重アクセス受信信号のデータ展開方法であって、
当該ユーザに対応する領域に記憶された第１のしきい値より大きいデータに対応するアドレスと生成したアドレスとを比較し、一致した場合はデータを出力し、一致しない場合は前記平均値を出力することでデータの展開を行って平均データ記憶部に格納することを特徴とする符号分割多重アクセス受信信号のデータ展開方法。
【発明の詳細な説明】
【０００１】
【発明の属する技術分野】
本発明は移動体電話システムに関する。特に、拡散符号通信技術を用いる携帯電話システムや衛星移動体電話システムにおいて、受信基地局や移動体端末で受信した信号をフィルタリングするもので、受信基地局および移動体端末機におけるメモリ容量および回路の規模を大幅に小さくすることができる新規の受信信号フィルタリング装置及びその方法に関する。
【０００２】
【従来の技術】
多数のシステムユーザが存在する相互通信を可能にする技術のひとつとして、符号分割多重アクセス（ＣＤＭＡ）変調技術が知られている。他の多重アクセス通信システム技術としては、例えば時分割多重アクセス（ＴＤＭＡ）や周波数分割多重アクセス（ＦＤＭＡ）、あるいは振幅コンパンデッドシングルサイドバンドシステム（ＡＣＳＳＢ）方式などの振幅変調などが知られている。しかし、ＣＤＭＡの拡散符号変調技術はこれら他の多重アクセス通信システム変調技術にはない重要な利点がある。多重アクセス通信システムとしてのＣＤＭＡ方式は、例えば米国特許４，９０１，３０７号、名称「衛星あるいは地上リピータを使用した拡散符号スペクトラム多重アクセス通信システム（ＳＰＲＥＡＤ  ＳＰＥＣＴＲＵＭ  ＭＵＬＴＩＰＬＥ  ＡＣＣＥＳＳ  ＣＯＭＭＵＮＩＣＡＴＩＯＮ  ＳＹＳＴＥＭ  ＵＳＩＮＧ  ＳＡＴＥＬＬＩＴＥ  ＯＲ  ＴＥＲＲＥＳＴＲＩＡＬ  ＲＥＰＥＡＴＥＲＳ）」に開示されていて、その全記載が本明細書中に引用として盛り込まれる。
【０００３】
また、特開平１１−４６０８８号公報にも関連技術が開示されていて、その全記載が本明細書中に引用として盛り込まれる。
【０００４】
このシステムにおいて、受信基地局は、各ユーザターミナルから送信された拡散符号信号（ＳＳ信号）を受信し、受信信号のパワーレベルデータを検出することで特定のユーザターミナルを識別する。例えば、ＷＯ９６−１９０４８には受信信号のパワーレベルデータを検出する回路装置が開示されている。
【０００５】
図１は本発明による受信信号フィルタ装置およびその方法が適用される移動体電話システムの一例のブロック図を示すものである。
【０００６】
図１に見られるように、端末ユーザは、移動体電話１０１を用いてそのアンテナ１０３を介して受信基地局１０２との間で拡散符号信号を送受信する。受信基地局１０２は受信信号を増幅する屋外受信増幅器（ＯＡ−ＲＡ）１０４を有している。増幅器１０４は増幅信号を復調して処理する無線基地局送受信装置（ＢＴＳ）１０５と結合している。受信信号には音声データや画像データ、動画データ、ＪＰＥＧデータ、ＭＰＥＧデータなどが含まれている。これらの信号は符号分割多重アクセス（ＣＤＭＡ）通信技術により送信前に変調され、受信された無線信号は移動体電話１０１のベースバンド信号プロセッサ（以下に詳述）や受信基地局１０２の無線基地局装置（ＢＴＳ）で復調される。
【０００７】
一方、パーソナルコンピュータＰＣに接続している移動体電話２０１を使用する別のユーザはアンテナ２０３を介して第２の受信基地局２０２との間でＳＳ（拡散符号）信号を送受信する。第１の受信基地局１０２と同様に、第２の受信基地局２０２は、同一あるいは類似の機能と操作を有する屋外受信増幅器（ＯＡ−ＲＡ）２０４および無線基地局装置（ＢＴＳ）２０５を有している。
【０００８】
第１と第２の無線基地局装置（ＢＴＳ）１０５、２０５は、共にマルチメディア信号処理装置（ＭＰＥ）と接続する無線ネットワーク制御装置（ＲＮＣ）１０８と結合し、無線ネットワーク制御装置１０８は移動マルチメディア交換システム１１５に信号を出力する。
【０００９】
図２は受信基地局１０２を示すブロック図である。図２に見られるように、無線基地局装置（ＢＴＳ）１０５には、増幅器ＡＭＰブロックと、変調無線変復調ブロックＭＤＥが配設されている。増幅器ＡＭＰブロックには、送信増幅器部（Ｔ−ＰＡ）１２０および送信増幅器監視制御部（ＡＭＰ−ＳＣ）１２１が設けられている。一方、無線変復調ブロックＭＤＥには、送信増幅器部ＡＭＰの送信増幅器（Ｔ−ＰＡ）１２０と送信増幅器監視制御部（ＡＭＰ−ＳＣ）１２１との両方に結合する無線部（ＴＲＸ）１２２が設けられている。ベースバンド信号処理部（ＢＢ）１２３は無線部（ＴＲＸ）１２２と結合し、有線伝送路インターフェース部（ＨＷＹ−ＩＮＴ）１２４はベースバンド信号処理部（ＢＢ）１２３と結合している。有線伝送路インターフェース部（ＨＷＹ−ＩＮＦ）１２４の出力信号は有線伝送路を介して、図示しない外部装置に送信される。
【００１０】
さらに、図２に見られるように、呼処理制御部（ＣＰ−ＣＮＴ）１２５は無線部（ＴＲＸ）１２２と結合し、保守監視制御部１２６（ＳＶ−ＣＮＴ）はベースバンド信号処理部（ＢＢ）１２３と接続している。また、有線伝送路インターフェース部（ＨＷＹ−ＩＮＦ）１２４と結合している外部インターフェース部（ＥＸＴ−ＩＮＦ）１２７は、図示しない外部装置と接続されている。
【００１１】
無線部（ＴＲＸ）１２２には受信および送信ＲＦ信号を増幅しこれらの信号を多重信号に符号分割する低ノイズ増幅器が設けられていても良い。無線部１２２はまた、直交変調されてＲＦ信号を形成するベースバンド拡散信号を、ディジタルあるいはアナログ信号に変換するＡ／Ｄ変換器の機能を持たせても良い。
【００１２】
一方、ベースバンド信号処理部（ＢＢ）１２３は、スペクトラム拡散技術を用いて信号を変調、復調している。さらに、ベースバンド信号処理部１２３は受信信号を処理しパワーレベルデータを抽出し、この信号を平均化してパワーレベルデータのピーク値を検出している。
【００１３】
図３は移動体端末ステーション、即ち携帯電話の概念ブロック図である。
【００１４】
図３に見られるように、移動ターミナル局には、アンテナ１３３を介して信号を送受信する無線部（ＴＲＸ）１３０が含まれている。無線部１３０は、信号を変調／復調するベースバンド信号処理部と結合されており、外部インターフェース（ＥＸＴ−ＩＮＦ）１３６は、ベースバンド信号処理部１３４と結合している。各処理部はすべて制御部（ＭＳ−ＣＮＴ）１３８により制御されている。移動ターミナル局の無線部（ＴＲＸ）１３０、ベースバンド信号処理部（ＢＢ）１３４および外部インターフェース部（ＥＸＴ−ＩＮＦ）１３６の機能と動作は、受信基地局１０２のものと同様であるので、重複を避けるためここではその記載を省略する。
【００１５】
図４は、符号分割多重アクセス（ＣＤＭＡ）通信技術によって変調された拡散符号（ＳＳ）信号を受信する、従来の受信装置の概念図である。
【００１６】
通信が確立されると、ユーザターミナル携帯電話からの信号は初めに受信基地局と同期が取られなければならない。その際、一般的にはパワーレベルデータが用いられる。
【００１７】
図４に見られるように、受信装置には、予め直交変調されたＩＤ相およびＱＤ相の拡散符号信号を受信して、受信信号を逆拡散し、その逆拡散された信号を、ＩＲＤおよびＱＲＤ相からなる受信信号としてパワー抽出部へ出力するする複素相関部１０が備えられている。
【００１８】
パワー抽出部１２受信信号に含まれるパワーレベルデータを抽出し、パワーデータＰを平均化処理１４へ出力する。平均化処理部１４はパワー抽出部１２からの、受信パワーデータＰの平均化処理を実行し、平均パワーデータが平均データとして記憶部１６に格納される。さらに、平均化処理部１４は記憶部１６に格納されたパワーデータを読出し、それを受信パワーデータ信号として入力して、平均化処理部１４は新たな平均データを算出する。ピーク検出部１８は、平均化処理部１４から出力された平均データを入力し、平均データのパワーレベルが最大、すなわちピークになるタイミングを検出する。制御部２０は拡散符号信号生成部２２が、ピーク検出部１８により検出されたピークタイミングにしたがって拡散符号信号を発生させ出力する。このようにして受信信号に含まれる拡散符号信号と同期が図られる。
【００１９】
従来の符号分割多重アクセス受信装置には、多数のシステムユーザ、すなわち端末電話機ごとに平均化処理部１４と記憶部１６の組み合わせを有している。制御部２０は、複数の平均化処理部１４と記憶部１６の組み合わせの中から、要求のあったシステムユーザの平均データを選択する。
【００２０】
図５は、図４に見られるパワー抽出部１２により抽出されたパワーデータを示すグラフである。一般的に、無線信号伝播路は常に変化しているため、瞬時に得られた受信パワーのデータにはノイズが含まれているため、そのままピーク検出のために使用することはできない。そのため、平均化処理部１４は図５に見られるように所定の時間分パワーデータＰを取りこみ、その後平均化処理を行って平均データを記憶部１６に記憶させる。その後、平均化処理部１４は記憶部１６の平均データと新たに入力されたパワーデータとから新たな平均データを算出する。
【００２１】
図６（１）ないし（４）はパワー抽出部１２により得られたパワーデータを示すグラフである。平均化処理部１４は所定数分（図６では３シンボル）だけパワー抽出部１２からパワーデータを入力する。次に、パワーデータのシンボルはそれぞれのサンプルごとに平均化処理され、３シンボル分の平均パワーデータが算出される。
【００２２】
ここで、１シンボル＝２５６チップであり、１チップを４倍オーバーサンプリングした場合１シンボル１０２４サンプルとなり、１シンボルごとに１０２４サンプル分のパワーのデータを取り込む。図３においては、パワー抽出部１２から得られたパワーのデータから３シンボル分のデータが取り込まれている。平均化はそれぞれのサンプル単位で行われる。平均データが１０ｂｉｔの語長だとすると、３シンボル分のデータを記憶させるためには、１つのユーザに対して３シンボル×１０ｂｉｔ×１０２４サンプル＝３０７２０ｂｉｔの記憶容量が必要になる。また１スロットが１０シンボルを有する別な場合においては、ユーザ毎に１０２４００ｂｉｔのメモリ容量が必要になる。
【００２３】
【発明が解決しようとする課題】
上記したように、従来の装置によれば、それぞれのユーザ毎に平均化処理部１４と記憶部１６の組み合わせが必要となる。したがって、もし非常に多くのシステムユーザが登録されると、そのデータを記憶させるためのメモリ容量は莫大になってしまい、装置やメモリ容量、回路構成の規模の大型化を招いて、結果的に製造コストや利用コストの増大につながってしまう。特に、移動体電話は近年小型化の要求が高まってきているので、メモリ容量自体もより小さなものが要求されている。上述したように、従来の技術では大規模なメモリ容量が必要であり、この記憶素子としてＲＡＭを用いたとしても移動体通信の端末としては致命的に大きい。
【００２４】
そこで本発明は上記した従来のシステムおよび装置にかかる問題点を鑑みてなされたものである。すなわち本発明の目的は、メモリ容量および回路構成の規模の小型化が可能な、受信符号信号のフィルタリング装置を提供することである。
【００２５】
本発明の他の目的は、メモリ容量および回路構成の規模の小型化が可能な、受信符号信号のフィルタリング装置を有する符号分割多重アクセス通信装置を提供することである。
【００２６】
また、本発明の他の目的は、小規模のメモリ容量および回路構成によって、符号分割多重アクセス通信方法により変調された受信信号をフィルタリングする方法を提供することである。
【００２７】
さらに、本発明の他の目的は、メモリ容量および回路構成の規模の小型化が可能な、符号分割多重アクセス送信方法によって変調された拡散符号信号を受信する、受信信号フィルタリング装置を有する受信装置を含む無線信号通信システムを提供することである。
【００２８】
【課題を解決する手段】
本発明の上記の目的は、受信信号を入力するフィルタ処理装置と、フィルタ処理装置の出力側と結合するデータ符号化装置を有する移動電話システム用の受信信号フィルタリング装置により達成できる。
【００２９】
また、上記の目的は、パワーデータを含む受信無線信号を入力し、該受信信号中のパワーデータを抽出するパワー抽出部と、前記パワー抽出部が抽出したパワーデータとデータ展開部の出力信号を入力して重み付け処理を実行する重み付けフィルタリング処理部と、前記重み付けフィルタリング処理部の出力信号と第１しきい値とを比較する第１の比較部と、前記第１の比較部の出力信号を記憶する符号化データ記憶部と、前記符号化データ記憶部のデータを展開するデータ展開部と、前記重み付けフィルタリング処理部の出力信号と第２しきい値とを比較する第２比較部と、前記第２比較部の出力信号を入力してパワーデータのピークレベルを検出するピーク検出部と、前記ピーク検出部が検出したピークレベルを入力し、それに基づいて前記パワー抽出部に拡散符号を出力する拡散信号生成部、とを有する符号分割多重アクセス受信機の受信データ信号フィルタリング装置によって達成できる。
【００３０】
前記符号化データ記憶部には前記第１比較部の出力信号を格納する複数の小規模記憶部を有してもよい。
【００３１】
また、本発明によれば、前記符号化データ記憶部にデータの書き込みおよび読み出しを指定するアドレスを生成するアドレス生成部をさらに有しており、該アドレスは前記第１比較部の出力信号とともに小規模記憶部に記憶され、前記符号化データ記憶部が、前記複数の小規模記憶部のそれぞれの記憶部への書き込み動作を制御する信号を生成する書き込み許可信号生成部と、前記複数の小規模記憶部のそれぞれの記憶部からの読み出し動作を制御する信号を生成する読み出し許可信号生成部と、小規模記憶部のうち偶数番目の記憶部が出力信号のオア処理を行う偶数用オア処理部と、小規模記憶部のうち奇数番目の記憶部が出力信号のオア処理を行う奇数用オア処理部、とを有する構成としても良い。
【００３２】
また、前記データ展開部には、前記符号化データ記憶部の前記偶数用オア処理部の出力信号を入力してデータの展開を行う偶数用データ展開部と、前記符号化データ記憶部の前記奇数用オア処理部の出力信号を入力してデータの展開を行う奇数用データ展開部、とが備えられていても良い。
【００３３】
一方、前記データ展開部には、前記偶数用展開部の展開データと前記アドレス生成部からのアドレスを記憶する偶数用展開データ記憶部と、前記奇数用展開部の展開データと前記アドレス生成部からのアドレスを記憶する奇数用展開データ記憶部と、前記偶数用展開データ記憶部の出力と、奇数用展開データ記憶部の出力とを入力し、いずれか一方を選択する選択部を有し、該選択部の選択結果が前記重み付けフィルタリング処理部へ出力されるようにしても良い。
【００３４】
また、前記重み付けフィルタリング処理部は、前記パワー抽出部の出力信号を係数Ｋで乗算する第１乗算器と、前記データ展開部の出力信号を係数１−Ｋで乗算する第２乗算器と、前記第１乗算器と第２乗算器の出力信号を加算する加算器、とを有するよう構成してもよい。
【００３５】
また、本発明の上記の目的は、パワーデータを含む受信無線信号を入力するステップと、該受信信号中のパワーデータを抽出するステップと、抽出したパワーデータとデータ展開部の出力信号から重み付けフィルタリング処理を実行するステップと、前記重み付けフィルタリング処理部の出力信号と第１しきい値とを比較する第１の比較ステップと、前記第１比較ステップでの比較結果を記憶するステップと、前記記憶ステップにおいて記憶されたデータを展開するステップと、前記重み付けフィルタリング処理ステップの結果得られた信号と第２しきい値とを比較するステップと、前記第２比較ステップの結果から受信信号中のパワーデータのピークレベルを検出するステップと、前記ピークレベルを入力し、それに基づいて前記パワー抽出ステップで使用される拡散符号を出力するステップ、とを有する符号分割多重アクセス受信機の受信データ信号をフィルタリングする方法によっても達成できる。
【００３６】
またさらに、本発明の上記の目的は、少なくとも一つの受信基地局と、少なくとも一つの移動体端末と、前記受信基地局と前記移動体端末のうち少なくとも一つが、符号分割多重アクセス受信機の受信データ信号フィルタリング装置を有しており、該受信データ信号フィルタリング装置には、パワーデータを含む受信無線信号を入力し、該受信信号中のパワーデータを抽出するパワー抽出部と、前記パワー抽出部が抽出したパワーデータとデータ展開部の出力信号を入力して重み付け処理を実行する重み付けフィルタリング処理部と、前記重み付けフィルタリング処理部の出力信号と第１しきい値とを比較する第１比較部と、前記第１比較部の出力信号を記憶する符号化データ記憶部と、前記符号化データ記憶部のデータを展開するデータ展開部と、前記重み付けフィルタリング処理部の出力信号と第２のしきい値とを比較する第２比較部と、前記第２比較部の出力信号を入力してパワーデータのピークレベルを検出するピーク検出部と、前記ピーク検出部が検出したピークレベルを入力し、それに基づいて前記パワー抽出部に拡散符号を出力する拡散信号生成部、とを有する無線通信システムによっても達成できる。
【００３７】
また、本発明の他の形態によれば、受信した拡散符号信号を逆拡散する複素相関部と、複素相関部において逆拡散された受信信号のパワーを抽出するパワー抽出部と、前記パワー抽出部で抽出されたパワーの平均値を算出する平均化処理部と、前記平均化処理部により平均化されたパワーデータを記憶する記憶部と、前記パワーデータのピークレベルを検出するピーク検出部を有することを特徴とする符号分割多重アクセス受信機において、前記平均化処理部の出力のうち第１のしきい値以上のデータを出力する第１の比較部と、前記第１の比較部により出力されたデータを圧縮データとして記憶する圧縮データ記憶部と、圧縮データ記憶部の偶数領域のデータを展開し記憶する偶数用データ展開部と、圧縮用データの奇数領域のデータを展開し記憶する奇数用データ展開部と、前記平均化処理部の出力を第２しきい値と比較し前記ピーク検出部に出力する第２の比較部を有することを特徴とする符号分割多重アクセス受信機を提供する。
前記符号化データ記憶部が、前記第１比較部の出力信号を格納する複数の小規模記憶部を有してもよい。
前記符号多重分割アクセス受信機が、移動体電話システムの送信機または受信機に搭載されていてもよい。
また、本発明の他の形態によれば、受信した拡散変調信号を相関演算し、相関演算した受信信号のパワーを抽出し、そのパワーの平均化処理を行い、平均化処理されたパワーデータを第１のしきい値と比較し、前記第１のしきい値以上のデータのみをアドレスと共に記憶することでデータの圧縮を行い、記憶された第１のしきい値より大きいデータに対応するアドレスと生成したアドレスとを比較し、一致した場合はデータを出力し、一致しない場合は０を出力することでデータの展開を行うことを特徴とする符号分割多重アクセス受信信号のデータ圧縮および展開方法を提供する。
上記の符号分割多重アクセス受信信号のデータ圧縮および展開方法において、前記第１のしきい値より大きいデータとそれに対応するアドレスは、複数の小規模記憶部に分散して記憶されてもよい。
上記の符号分割多重アクセス受信信号のデータ圧縮および展開方法において、前記複数の小規模記憶部のうち偶数番目の記憶部に格納されたデータと奇数番目の記憶部に格納されたデータとが別々に展開され、その展開データはそれぞれ別な記憶部に記憶され、前記記憶されていた偶数番目の展開データと奇数番目の展開データとのうちいずれか一方が選択され、その選択されたデータが重み付け平均化処理されてもよい。
本発明の受信信号フィルタリング装置は、移動体電話システムや移動体衛星電話システムに用いられる移動体端末機、すなわち携帯電話や、受信基地局などに適用することができる。
【００３８】
【発明の実施の形態】
以下、添付の図を参照しながら本発明の実施の形態を通じて本発明を説明するが、以下の実施形態は本発明を限定するものではなく、又実施形態の中で説明されている特徴の組み合わせの全てが発明の解決手段に必須であるとは限らない。
【００３９】
本発明の第１実施例を図７ないし図１４を参照しながら説明する。この第１実施例では、一例として本発明が移動体電話システムの符号分割多重アクセス受信装置に適用されたものである。図７は本発明の第１実施例にかかる符号分割多重アクセス受信装置を示すブロック図、図８（Ａ）、（Ｂ）ともに平均データ記憶部を示すブロック図、図９は図７に見られる本発明によるデータ符号化部を示すブロック図、図１０は図９に見られるデータ符号化部の動作を表すタイミングチャート、図１１は図９に見られる符号化データ記憶部に記憶された符号化データの内容を示すテーブル、図１２は図９に見られるデータ解凍部を示すブロック図、図１３は図１２に見られるデータ解凍部の動作を表すタイミングチャート、図１４はデータ解凍部により展開される前の符号化データ記憶部に記憶される符号化データの内容を示すテーブルである。
【００４０】
図７に本発明が適用される符号分割多重アクセス受信機を一例として示す。複素相関部３０は、直交変調された拡散信号ＩＤ相、ＱＤ相を受信して逆拡散し、パワー抽出部３２に逆拡散信号として出力する。複素相関部３０により逆拡散された信号は、パワー抽出部３２においてパワーを抽出され、受信信号として平均化処理部３４へ出力される。複素相関部３０により逆拡散されたＩＲＤ相及びＱＲＤ相の信号は、複素平面上で回転しているためＩ相とＱ相共にレベルが大きいときもあれば、どちらか一方のレベルのみが大きいときもある。したがって、パワー抽出部３２は動作初期段階でＩ相、Ｑ相を複合し、その信号をパワー抽出処理するようにして、Ｉ相、Ｑ相のうち片方の影響が極端に出ないようにする。
【００４１】
平均化処理部３４はパワー抽出部３２からパワーデータ信号Ｐを入力し、そのパワーデータ信号Ｐを操作してその平均値を算出する。平均化処理部３４は平均化処理の結果平均、データをメモリ領域３５の平均データ記憶部３６に出力し、平均データ記憶部３６は平均化されたパワーデータを記憶する。平均化処理部３４は平均データ記憶部３６に記憶された平均データを読出し、新たに受信したパワーデータ信号との新たな平均データを算出する。データ符号化部４０は、平均化されたパワーデータのうちしきい値算出部３９により発生された所定のしきい値よりも低いデータ信号の部分を小規模に符号化し、以下に詳しく述べる方法で符号化データを生成する。符号化データ記憶部３８はデータ符号化部４０が出力する符号化データを記憶する。平均データ記憶部３６および符号化データ記憶部３８を備えたメモリ領域３５はフリップフロップ回路により構成しても良い。しかし、記憶部３６、３８を有するメモリ領域３５は、ランダムアクセス記憶装置（ＲＡＭ）により構成してハードウェア回路の規模を小さくすることがより好ましい。
【００４２】
しきい値算出部３９はパワー抽出部３２の出力側と結合しており、そこから平均化処理部３４により平均化されたパワーデータを入力する。図７に示すように、しきい値算出部３９は、パワー抽出部３２から平均化処理部３４を介して入力されるパワーデータに基づいて、データ符号化部４０の比較部５０（図９参照）に出力する第１しきい値およびピーク検出部４４に出力する第２しきい値を設定する。第１および第２しきい値は、高層ビルや他の無線波、大気中の塵埃により伝播中の状態の影響を受けた無線受信信号のＳ／Ｎ（信号／ノイズ）比に基づいて適切に制御されることが好ましい。例えば、受信信号のＳ／Ｎ比が高い、すなわちノイズが少ない場合には、しきい値は高く設定され、一方Ｓ／Ｎ比が低い、すなわち多くのノイズが受信信号に含まれている場合にはしきい値は低く設定される。
【００４３】
上述したようにまた図６に示したように、本発明実施例による平均化処理部３４はパワーデータ信号Ｐの平均をとる。しかし、本発明はこれに限定されるものではない。平均化処理の目的はパワーデータ信号Ｐ中に含まれているノイズを、ピーク検出の前に低減させるためである。従って、この目的を達成する他の処理によってノイズを低減あるいは除去する方法も本発明に適用することができる。例えば、シンボルの各サンプルにおいて、最大値と最小値を用いてその平均を取ったり、あるいは中間値だけを記憶させておいてその後のピーク検出に用いたりしても良い。
【００４４】
一方、７図に示すように、データ展開部４２は符号化データ記憶部３８に記憶された符号化データを展開し、展開信号を平均データ記憶部３６に出力する。ピーク検出部４４は平均化処理部３４の出力である平均データを入力し、パワーレベルが最大となるタイミングを検出して、タイミング信号を制御部４６に出力する。
【００４５】
制御部４６は、ピーク検出部４４により検出されたタイミング信号に基づいて、指示信号を拡散符号信号生成部４８に出力する。このように、制御部４６から拡散符号信号生成部４８への指示信号は、拡散符号信号が発生し出力されるタイミングをあらわしている。さらに制御部４６は、データ符号化部４０およびデータ展開部４２の両方へも、平均パワーデータの符号化処理を実行するタイミングおよび符号化データの展開処理を実行するタイミングを指示する指示信号を出力する。拡散符号信号生成部４８は制御部４６からのタイミング指示信号に基づいて拡散符号信号を発生し、拡散符号信号を複素相関部３０に出力する。
【００４６】
図８（Ａ）、（Ｂ）は、複数のシステムユーザの平均データを管理する平均データ記憶部３６、符号化データ記憶部３８、データ符号化部４０およびデータ展開部４２の制御プロセスを示す図である。図４に見られるように、従来の装置はそれぞれのシステムユーザに対して平均化処理部１４と記憶部１６の組み合わせが必要であった。しかし、図７、図８（Ａ）および図８（Ｂ）に見られるように、本発明の装置では複数のシステムユーザに対して共通に用いられる１つの平均化処理部３４と一つの平均データ記憶部３６があればよい。
【００４７】
図８（Ａ）に見られるように、符号化データ記憶部３８には複数のユーザ用の複数の領域が設けられており、特定のユーザ用の符号化データは符号化データ記憶部３８の特定の領域に記憶される。しきい値より低い平均パワーデータのサンプルの一部はデータ符号化部４０により小規模に符号化され、符号化データとして符号化データ記憶部３８内の対応するユーザ領域に記憶される。
【００４８】
符号化データ記憶部３８に記憶されている符号化データが読み出されるとき、必要な符号化データがデータ展開部４２により展開され、展開されたデータは平均データ記憶部３６に出力される。例えば、図８に示すように受信装置がユーザ３からの信号を受信した場合、データ展開部４２は平均データ記憶部３６に記憶されている平均パワーデータの展開処理を行い、符号化データを操作した後に符号化データ記憶部３８のユーザ３に対応する領域に格納する。一方、展開処理動作中、データ展開部４２は符号化データ記憶部３８のユーザ３の領域に記憶されている符号化データを読出してそれを展開し、その展開データを平均データ記憶部３６に出力する（図８（Ｂ）参照）。それぞれのシステムユーザにおける符号化と展開の処理プロセスは時系列で操作される。ここで、平均データ記憶部３６と符号化データ記憶部３８はＲＡＭで構成することが好ましい。
【００４９】
図９は本発明第１実施例にかかるデータ符号化部４０の詳細な構造を示すブロック図、図１０は図９に見られるデータ符号化部４０の動作を示すタイミングチャートである。
【００５０】
図９に見られるように、データ符号化部４０には、各サンプリングの平均データ８２のパワーレベルがしきい値算出部３９により生成されたしきい値ＴＨよりも高いか否かを判定してその結果を比較信号８６として出力する比較部５０と、平均データ記憶部３６に記憶された平均データ８２を読み出すときに使用されるアドレスである平均データアドレス８４を発生する平均データアドレス生成部５２と、比較信号８６、平均データ８２および平均データアドレス８４を入力して、しきい値ＴＨより高い平均データ８２の一部からなる符号化平均データ８８を選択して保持するデータ保持部５４とが備えられている。データ保持部５４はさらにサンプルされた平均データ８２がしきい値ＴＨよりも高いときの平均データアドレス８４の一部を示す符号化平均アドレス９０を保持するものである。さらに、データ符号化部４０には、しきい値ＴＨよりも低い平均データ８２の一部を操作して平均値９２を算出する符号化平均化部５６と、符号化データ記憶部３８に記憶される平均データアドレス８４の最後のアドレスである最終アドレス９３を検出する最終アドレス検出部５８と、符号化データ記憶部３８が符号化データ１００を記憶するときに使用されるアドレスである符号化データアドレス９４を生成する符号化データアドレス生成部６０と、最終アドレス検出部５８が最終アドレス９３を検出したときに平均値９２を符号化データ記憶部３８に符号化データ１００として平均値９２を出力する選択部６２を備えている。
【００５１】
比較部５０は平均データ記憶部３６から出力された平均データ８２と、しきい値算出部３９からの所定のしきい値ＴＨとを比較し、その平均データ８２のサンプルがしきい値ＴＨより大きいか否かをあらわす比較信号８６を出力する。平均データアドレス生成部５２は平均データ記憶部３６から平均データ８２を読み出す際に用いられるアドレスとしての平均データアドレス８４を発生し、その信号をデータ保持部５４と平均データ記憶部３６に出力する。データ保持部５４は、まず比較部５０から受信した比較信号８６に基づいて、平均データ記憶部３６から入力された平均データ８２の中から、しきい値ＴＨより高いデータを選択する。データ保持部５４は選択したデータを符号化平均データ８８として選択部６２に出力する。さらに、データ保持部５４は比較信号８６に基づいてデータがしきい値ＴＨより大きい時に平均データ８２の平均データアドレス８４を取り出し、その選択されたデータを符号化平均アドレス９０として選択部６２に出力する。符号化平均データ８８および符号化平均アドレス９０は符号化データ１００を構成する。
【００５２】
符号化平均化部５６は平均データ記憶部３６から入力した、しきい値ＴＨよりも小さいデータから平均データ８２を計算し、比較部５０から入力した比較信号８６に基づいて平均化処理を実行する。符号化平均化部５６は単一信号からなる平均値９２を選択部６２に出力する。最終アドレス検出部５８は平均データアドレス生成部５２から入力した平均データアドレス８４の最後のアドレスである最終アドレス９３を検出し、その検出された最終アドレス９３を選択部６２に出力する。
【００５３】
例えば、平均データ８２が１シンボル分の平均処理を行う場合、１シンボルは２５６チップからなり、１チップをオーバーサンプリングした場合に１０２４サンプルとなり、１シンボルごとに１０２４サンプル分のパワーデータの平均値が取られる。したがって、最終アドレス検出部５８は１０２４番目の平均アドレス検出を行う。
【００５４】
符号化データアドレス生成部６０は比較部５０から比較信号８６を入力し、比較信号８６に基づいて符号化データ１００を符号化データ記憶部３８に記憶させるときのアドレスを表す符号化データアドレス９４を生成し、符号化データアドレス９４を符号化データ記憶部３８に出力する。選択部６２はデータ保持部５４から符号化平均データ８８と符号化平均アドレス９０を入力し、符号化平均化部５６から平均値９２を入力し、さらに最終アドレス検出部５８から最終アドレス９３を入力する。その後選択部６２は、最終アドレス検出部５８が最終アドレス９３を検出しないときには符号化平均データ８８と符号化平均アドレス９０を符号化データ１００として符号化データ記憶部３８に出力し、一方最終アドレス検出部５８が最終アドレス９３を検出したときには符号化データ１００として平均値９２を出力する。
【００５５】
図１０はデータ符号化部４０のデータ処理プロセスを示すタイミングチャートである。比較部５０は、平均データ８２がしきい値ＴＨより大きいときにレベル１の比較信号８６、すなわちアドレスが０６ｈ、０７ｈ、０８ｈ、１２ｈ、１３ｈの平均データアドレス８４を出力する。一方、比較部５０は、平均データ８２がしきい値ＴＨより小さいときにレベル０の比較信号８６、すなわちアドレスが００ｈ〜０５ｈ、０９ｈ〜１１ｈおよび１４ｈ〜１７ｈの平均データアドレス８４を出力する。比較信号８６がレベル１のとき、データ保持部５４は、平均データ８２からしきい値ＴＨよりも大きい平均データである４Ｄｈ、７Ａｈ、５８ｈ、６５ｈおよび５６ｈを選択し、選択したデータを符号化平均データ８８として選択部６２へ出力する。さらに、比較信号８６が１のとき、すなわち平均データ８２がしきい値ＴＨよりも大きいとき、データ保持部５４は平均データアドレス８４の中から０６ｈ、０７ｈ、０８ｈ、１２ｈおよび１３ｈのアドレスを選択し、選択したアドレスと符号化平均アドレス９０として選択部６２へ出力する。
【００５６】
符号化平均化部５６は、比較信号８６がレベル０のとき平均データ８２の平均値を算出する。詳述すると、図１０に示すように、比較信号８６がレベル０のときすなわち平均データアドレス８４が００ｈ〜０５ｈ、０９ｈ〜１１ｈ、および１４ｈ〜１７ｈのとき、符号化平均化部５６は平均データ８２の平均値を算出する。一方、符号化平均化部５６は、比較信号８６がレベル１のときには平均化処理を停止する。符号化平均化部５６は、最終アドレス検出部５８が最終アドレス９３を検出するまでしきい値ＴＨよりも小さい平均データ８２の平均化処理を継続する。最終アドレス検出部５８が最終アドレス９３を検出すると、符号化平均化部５６は、しきい値ＴＨよりも小さい全平均データ８２の平均値である平均値９２を選択部６２へ出力する。
【００５７】
比較信号８６がレベル１のとき、例えば平均データアドレス８４が図１０の０６ｈのとき、符号化データアドレス生成部６０は、０６ｈのひとつ前のアドレスである平均データアドレス８４のアドレス０５ｈに対応する符号化データアドレス９４のアドレス００ｈに１を加え、更新された符号化データアドレス９４としてアドレス０１ｈを出力する。このように、比較信号８６がレベル１のとき、符号化データアドレス生成部６０は符号化データアドレス９４として現行の符号化データアドレス９４に１を加えて得られるアドレスを出力する。一方、比較信号８６がレベル０のとき、例えば平均データアドレス８４が図１０の０５ｈのとき、符号化データアドレス生成部６０は、ひとつ前のアドレスである平均データアドレス８４のアドレス０４ｈに対応する符号化データアドレス９４のアドレスと同じアドレス００ｈを発生する。言い換えると、比較信号８６がレベル０のとき、符号化データアドレス生成部６０はひとつ前のアドレスと同じ符号化データアドレス９４のアドレスを発生する。
【００５８】
選択部６２は、最終アドレス検出部５８が最終アドレス９３を検出するまで符号化平均データ８８と符号化平均アドレス９０を符号化データ記憶部３８へ出力し続ける。詳しく述べると、図１０の（ａ）部に示したように、符号化平均データ８８の第１のグループ、すなわち４Ｄｈ、７Ａｈおよび５８ｈと、それらと対応する符号化平均アドレス９０のグループである０６ｈ、０７ｈおよび０８ｈがセット（ａ）として出力される。一方、図１０の（ｂ）部に示したように、符号化平均データ８８の次のグループである６５ｈ、５６ｈとそれに対応する符号化平均アドレス９０のグループである１２ｈ、１３がセット（ｂ）として出力される。選択部６２は、最終アドレス検出部５８が最終アドレス９３を検出したとき、図１０の（ｃ）部に示した平均値９２を符号化データ記憶部３８に出力する。
【００５９】
しきい値ＴＨは受信信号のＳ／Ｎ比により変動する。つまり、もし受信信号が良好なＳ／Ｎ比を有していた場合、つまりノイズが非常に小さい場合、しきい値ＴＨは通常よりも高く調節しても良い。逆に、受信信号のＳ／Ｎ比が悪い場合、つまりノイズが多いときには、しきい値ＴＨは低く設定すべきである。本発明システムは常に受信信号のＳ／Ｎ比を監視し、しきい値ＴＨを適切に制御できるようにしてある。
【００６０】
図１１は符号化データ記憶部３８に格納された符号化データの内容を示すテーブルである。図１１に見られるように、選択部６２から出力された符号化平均データ８８の第１グループである図１０中のセット（ａ）と、符号化平均アドレス９０のグループであるセット（ｂ）は、符号化データ記憶部３８で符号化データアドレス９４の特定のアドレスに対応するように格納されている。さらに、図１１のテーブルの左側列に見られるように、選択部６２から受信したセット（ｃ）の平均値９２は、符号化データアドレス９４のアドレス００ｈの位置に格納されている。
【００６１】
図１２はデータ展開部４２の構造を示すブロック図、および図１３はデータ展開部４２の動作を示すタイミングチャートである。
【００６２】
データ展開部４２は平均データ記憶部３６が平均データ８２を格納するときのアドレスである平均データアドレス８４を発生する平均データアドレス生成部６４と、符号化平均アドレス９０が平均データアドレス８４と一致するかどうかをあらわす比較信号８６を発生する比較部６６と、符号化データ記憶部３８が符号化データ１００を記憶するときのアドレスである符号化データアドレス９４を発生する符号化データアドレス生成部７２と、平均値９２を保持する平均値保持部６８と、符号化平均アドレス９０が平均データアドレス８４と一致するときには平均データ８２として符号化平均データ８８を出力し、符号化平均アドレス９０が平均データアドレス８４と一致しないときに平均データ８２として平均値９２を出力する選択部７０とを備えている。
【００６３】
平均データアドレス生成部６４は、平均データ記憶部３６が平均データ８２を記憶するときのアドレスである平均データアドレス８４を発生し、そのアドレスを比較部６６と平均データ記憶部３６に出力する。比較部６６は、符号化データ記憶部３８からの符号化平均アドレス９０と平均データアドレス生成部６４からの平均データアドレス８４を入力する。比較部６６は、符号化平均アドレス９０が平均データアドレス８４と一致するかを判定するための信号として作用する比較信号８６を符号化データアドレス生成部７２と選択部７０へ出力する。
【００６４】
符号化データアドレス生成部７２は比較部６６から比較信号８６を入力し、符号化データ記憶部３８が符号化データ１００を格納するときのアドレスを表す符号化データアドレス９４を発生する。符号化データアドレス９４は符号化データ記憶部３８に入力される。平均値保持部６８は符号化データ記憶部３８から入力した平均値９２を保持し、平均値を選択部７０へ出力する。選択部７０は比較部６６から比較信号８６を入力し、平均値保持部６８から平均値９２を入力し、さらに符号化データ記憶部３８から符号化平均データ８８と符号化平均アドレス９０を入力する。選択部７０は、比較信号８６に従って符号化平均アドレス９０が平均データアドレス８４と一致したときに符号化平均データ８８を平均データ８２として平均データ記憶部３６へ出力する。一方、選択部７０は符号化平均アドレス９０が平均データアドレス８４と一致しないときには平均値９２を平均データ８２として平均データ記憶部３６に出力する。
【００６５】
図１３はデータ展開部４２のデータ操作を示すタイミングチャートである。符号化平均アドレス９０が平均データアドレス８４と一致するとき、すなわち平均データアドレス８４が図１３の０６ｈ、０７ｈ、０８ｈ、１２ｈ、１３ｈのとき、比較部６６はレベル１の比較信号を出力する。一方、符号化平均アドレス９０が平均データアドレス８４と一致しないとき、すなわち平均データアドレス８４が図１３の００ｈ〜０５ｈ、０９ｈ〜１１ｈおよび１４ｈ〜１７ｈのとき、比較部６６はレベル０の比較信号８６を出力する。
【００６６】
比較信号８６がレベル１のとき、たとえば平均データアドレス８４が図１３の０６ｈのとき、符号化データアドレス生成部７２はひとつ前のアドレスの平均データアドレス８４のアドレス０５ｈに対応する符号化データアドレス９４のアドレス００ｈに１を加え、符号化データアドレス９４の新たなアドレス０１ｈを発生する。従って、比較信号８６がレベル１のとき、符号化データアドレス生成部７２はひとつ前のアドレスの符号化データアドレス９４に１アドレスを追加した新たなアドレスを発生する。一方、比較信号８６がレベル０のとき、たとえば平均データアドレス８４が図１３の０５ｈのとき、符号化データアドレス生成部７２はひとつ前のアドレスである平均データアドレス８４のアドレス０４ｈに対応する符号化データアドレス９４のアドレス００ｈと同じアドレス００ｈを符号化データアドレス９４として発生する。このように、比較信号８６がレベル０のとき、符号化データアドレス生成部７２はひとつ前のアドレスの符号化データアドレス９４と同じアドレスを符号化データアドレス９４として生成する。
【００６７】
平均値保持部６８は符号化データ記憶部３８から、図１３で（ｃ）部と表示された平均値９２を入力し、その値を選択部７０へ出力する。比較信号８６がレベル１のとき、たとえば平均データアドレス８４が図１３の０６ｈ、０７ｈ、０８ｈのとき、選択部７０は符号化データ記憶部３８から符号化平均データ８８のセット（ａ）のグループ、つまり４Ｄｈ、７Ａｈ、５８ｈと符号化平均アドレス９０のグループ、つまり０６ｈ、０７ｈ、０８ｈを入力し、そしてこれらのデータグループを平均データ記憶部３６へ出力する。同様に、平均データアドレス８４が１２ｈ、１３ｈのとき、選択部７０は符号化データ記憶部３８から符号化平均データ８８のデータセット（ｂ）のグループ、つまり６５ｈ、５６ｈと符号化平均アドレス９０のグループ、つまり１２ｈ、１３ｈを入力し、これらのデータグループを平均データ記憶部３６へ出力する。一方、比較信号８６がレベル０のとき、たとえば、平均データアドレス８４が図１３の００ｈ〜０５ｈのとき、選択部７０は図１３の（ｃ）部に示した平均値保持部６８からの平均値９２を平均データ記憶部３６へ出力する。
【００６８】
図１４は符号化データ記憶部３８に記憶された、データ展開部４２による展開前の符号化データ１００の内容を示すテーブルである。図１４に示すように、符号化平均データ８８と符号化平均アドレス９０のデータグループセット（ａ）、（ｂ）は、各符号化データアドレス９４に対応して符号化データ記憶部３８内に格納されている。また、選択部７０から出力される（ｃ）で示した平均値９２は、符号化データアドレス９４のアドレス００ｈの位置に格納されている。
【００６９】
図１５は本発明の第２実施例による符号分割多重アクセス受信装置を示すブロック図である。図１５に示した装置の構造は基本的には図７に示した第１実施例にかかるものと同じであるが、パワー抽出部１３２、Ｉ相、Ｑ相平均化処理部１３４ａ，１３４ｂの構造と動作手順が異なっている。
【００７０】
第２実施例に拠れば、複素相関部３０により逆拡散されたＩＲＤ相とＱＲＤ相の受信信号はＩ相平均化処理部１３４ａとＱ相平均化処理部１３４ｂでそれぞれ平均化処理が行われる。Ｉ相平均化処理部１３４ａとＱ相平均化処理部１３４ｂは、それぞれの平均化されたＩ相とＱ相の信号をパワー抽出部１３２にＩ相平均データおよびＱ相平均データとして出力する。パワー抽出部１３２はこれらの信号を入力し、信号のパワーレベルデータを抽出する。パワー抽出部１３２はパワーデータＰをピーク検出部４４へ出力し、ピーク検出部４４はパワー抽出部１３２から出力されたパワーデータＰのパワーレベルが最大となるタイミングを検出する。
【００７１】
制御部４６は、ピーク検出部４４によって検出されたピークタイミング信号に基づいて、拡散符号信号生成部４８が拡散符号信号を生成し出力するときのタイミングを表す指示信号を拡散符号信号生成部４８へ出力する。さらに、制御部４６は指示信号をデータ符号化部４０とデータ展開部４２に出力し、データ符号化部４０が平均データの符号化処理を開始し、データ展開部４２が符号化データの展開処理を開始する。拡散符号信号生成部４８は制御部４６からの指示信号に示されたタイミングで拡散符号信号を発生させ、その拡散符号信号を複素相関部３０に出力する。
【００７２】
図７に示した本発明の第１実施例に拠れば、パワー抽出部３２はノイズを含んだＩ相およびＱ相の受信信号を受け取ってパワーレベルを抽出し、その後パワーデータは平均化処理される。したがって、平均データのノイズ成分が拡大される可能性がある。しかし、図１５に示した第２実施例においては、Ｉ相、Ｑ相それぞれの受信信号は、パワーレベルを抽出するためパワー抽出部３２に入力される前に、別々に平均化処理がされる。第２実施例のように構成することで、受信信号のノイズ成分を極力低減させることができる。さらに、第２実施例の動作によれば、平均化されたＩ相とＱ相の平均データはそれぞれパワー抽出部３２によって別々に抽出されるため、パワーデータのピークを正確に検出することができる。
【００７３】
本発明の第２実施例では、符号化平均化部５６は図１０に示すように、平均化された（フィルタリングされた）データのしきい値ＴＨよりも小さい一部に関して平均化処理が実行される。しかし、本発明は特にこれに限定されず、その他の操作であってもよい。たとえば、第１の変形例では、平均化パワーデータのうちしきい値以下のすべてのサンプルの平均をとる代わりに、しきい値ＴＨを超えるサンプルのひとつ前のアドレスにおける平均データのサンプルのみをそのまま用いて、符号化データ記憶部３８に記憶される符号化データ１００の一部とすることも可能である。このように、図１０のアドレス０５ｈでの平均データのサンプルのみを選択し、しきい値以下のサンプルの平均をとるという処理は行われない。
【００７４】
第２の変形例では、しきい値以下の平均データの中で最大と最小のサンプルの２つの平均をとる。この場合、たとえば図１０中のアドレス０Ａｈの最小平均データとアドレス１１ｈの最大の平均データのみが選択され、この２つの平均データの平均値を取る処理が行われる。
【００７５】
また第３の実施例では、しきい値ＴＨよりも大きい平均データの１アドレス後でしきい値ＴＨよりも小さい平均データのみが抽出される。図では、アドレス０５ｈ、０９ｈ、１１ｈ、１４ｈの平均データが選択され、その４つのデータの平均値が算出される。
【００７６】
これら変形例における回路構成は上述した本発明第２実施例のものと同じで良い。その場合、データ符号化部４０の操作、特にその符号化平均化部５６の操作を変更してそれぞれの変形例で説明した各計算をするようプログラムを組めば良い。これらの計算自体は特に複雑なものではないため、当業者であればどのようにしてそのプログラムを設計して使用するか理解することは可能である。したがって、ここではその説明は省略する。
【００７７】
いずれにしても、上記したような変形例では、平均化処理部３４による平均化処理あるいはフィルタリング処理にかかる負荷が非常に軽減され、同期かを得る速度が速くなるため好ましいものである。
【００７８】
図１６は本発明第３実施例にかかる符号分割多重アクセス受信装置の要部を示したブロック図／回路図である。この第３実施例の図において、上記した第２実施例と同じかあるいは類似する部材については同じ参照番号を付し、その説明は省略する。
【００７９】
第３実施例において、拡散符号信号生成部４８、複素相関部３０、パワー抽出部３２およびピーク検出部４４の構造と機能は上記した第１、第２実施例と同じである。
【００８０】
図１６に示すように、第３実施例による装置には、パワー抽出部２３２の出力側に結合する重み付け平均化部２４０と、重み付け平均化部２４０の出力信号および第１しきい値を入力する第１比較部２１３と、アドレス生成部２２１と、第１比較部２１３とアドレス生成部２２１に接続する符号化データ記憶部２４１と、符号化データ記憶部２４１と結合する偶数データ展開ブロック２４２と、符号化データ記憶部２４１と結合する奇数データ展開ブロック２４３と、偶数データ展開ブロック２４２と奇数データ展開ブロック２４３のそれぞれの出力側と接続する選択部２２４と、重み付け平均化部２４０の出力信号と第２しきい値を入力する第２比較部２３０とを備えている。
【００８１】
重み付け平均化部２４０には、第１乗算器２１０、第２乗算器２１１、加算器２１２が備えられている。重み付け平均化部２４０はパワー抽出部２３２により生成されたパワーデータＰを入力する。入力されたパワーデータＰは第１乗算器２１０によって係数Ｋで乗算され、一方選択部２２４の出力信号、すなわち偶数データ展開ブロック２４２および奇数データ展開ブロック２４３の出力信号のうちのひとつは第２乗算器２１１によって係数１−Ｋで乗算される。加算器２１２は第１乗算器２１０と第２乗算器２１１の両方の出力信号を加算して、重み付けされた平均信号を第１比較部２１３へ出力する。
【００８２】
第１比較部２１３は重み付け平均化部２４０から出力された重み付け平均信号と第１のしきい値発生装置（図示せず）により生成される第１しきい値を入力して両者を比較し、重み付けされた平均信号のうち第１しきい値よりも大きい部分を出力する。
【００８３】
アドレス生成部２２１はアドレス信号を偶数データ展開ブロック２４２の展開偶数データ記憶部２２２と奇数データ展開ブロック２４３の展開奇数データ記憶部２２３の双方に出力して、アドレス生成部２２１から入力したアドレスを有する展開偶数データ記憶部２２２、展開奇数データ記憶部２２３内に記憶されたデータを読み出す。さらに、符号化データ記憶部２４１の小規模記憶部２１５はアドレス生成部２２１からのアドレス信号を入力し記憶する。ここでアドレス生成部２２１により生成されるアドレス信号は対象となるシンボルのタイミングと同期する。
【００８４】
小規模記憶部２１５は第１比較部２１３の出力信号と、アドレス生成部２２１により発生され第１比較部２１３の出力信号に対応するアドレス信号とを入力する。小規模記憶部２１５は第１比較部２１３の出力信号のうち第１しきい値よりも大きい部分を、第１比較部２１３の出力信号に対応するアドレス信号とともに保持する。
【００８５】
符号化データ記憶部２４１は第１比較部２１３の出力信号とアドレス生成部２２１により生成されるアドレス信号を入力し、重み付け平均データのうち第１しきい値よりも大きい部分のみを、記憶される重み付け平均データに対応するアドレス信号とともに記憶する。そして、符号化データ記憶部２４１は記憶されているデータを、そのデータが記憶されるタイミングからずらして出力する。
【００８６】
偶数データ展開ブロック２４２は、符号化データ記憶部２４１が出力する重み付け平均データのうち第１しきい値よりも大きい部分とそれに対応するアドレス信号とを入力し、本来のデータの大きさに、ほぼ同等に複合された信号を出力する。同様に、奇数データ展開ブロック２４３は、符号化データ記憶部２４１から出力される重み付け平均データのうち第１しきい値よりも大きい部分とそれに対応するアドレス信号とを入力し、本来のデータの大きさの展開信号を出力する。
【００８７】
第２比較部２３０は重み付け平均化部２４０により出力される重み付け平均データと第２しきい値発生装置（図示せず）により生成される第２しきい値を入力し、両者を比較して、重み付け平均データのうち第２しきい値よりも大きい部分を出力する。
【００８８】
ピーク検出部４４はこれらの出力信号、すなわち第２しきい値よりも大きい重み付け平均データの部分を入力し、そのピーク値を検出する。
【００８９】
制御部２３２は重み付け平均データのピーク値を入力してそれを監視し、その拡散符号信号の種類と位相をあらわす指示信号を拡散符号信号生成部４８に出力する。
【００９０】
一方、図１６に見られるように、符号化データ記憶部２４１には、データを小規模記憶部２１５に記憶させることを可能にするライトイネーブル信号を生成する書き込み許可（Ｗｒｉｔｅ  ＥＮ）信号生成部２１４が備えられている。イネーブル信号がＨＩＧＨのとき、データは小規模記憶部２１５に記憶され、逆にイネーブル信号がＬＯＷのときには記憶されない。小規模記憶部２１５は、書き込み許可（Ｗｒｉｔｅ  ＥＮ）信号生成部２１４により生成されるライトイネーブル信号に基づいてアドレス生成部２２１により生成されるアドレス信号と第１比較部２１３の出力信号を格納する。小規模記憶部２１５は展開偶数データ記憶部２２２や展開奇数データ記憶部２２３に比べ非常に小規模なもので設計することができる。
【００９１】
読み出し許可（Ｒｅａｄ  ＥＮ）信号生成部２１６は、小規模記憶部２１５に記憶されているデータを読み出すときに用いられるリードイネーブル信号を発生する。リードイネーブル信号がＨＩＧＨのとき、小規模記憶部２１５に記憶されているデータは読み出され、逆にＬＯＷのときには読み出し許可（Ｒｅａｄ  ＥＮ）信号生成部２１６は”０”レベルの信号を出力して、読出し操作は行われない。
【００９２】
さらに、図１６に示したように、符号化データ記憶部２４１は、小規模記憶部２１５の偶数用の領域から信号を入力する偶数オア回路２１７を有している。偶数オア回路２１７は信号のオア操作を実行してその結果を偶数データ展開ブロック２４２の偶数用データ展開部２１９に出力する。この操作の中で、読み出し動作が行われるとき以外は、小規模記憶部２１５は出力信号は”０”を出力するので、偶数オア回路２１７の出力信号は読み出し状態の小規模記憶部２１５の出力信号がそのまま出力されることになる。
【００９３】
上記した偶数オア回路２１７と同様に、符号化データ記憶部２４１の奇数オア回路２１８は小規模記憶部２１５の奇数領域からの信号を入力し、オア操作を実行してその結果を奇数データ展開ブロック２４３の奇数用データ展開部２２０に出力する。ここで、読み出し動作が行われるとき以外は、小規模記憶部２１５は出力信号は”０”を出力するので、奇数オア回路２１８の出力信号は読み出し状態の小規模記憶部２１５の出力信号がそのまま出力されることになる。
【００９４】
図１６に見られるように、偶数データ展開ブロック２４２の偶数用データ展開部２１９は符号化データ記憶部２４１の偶数オア回路２１７の出力信号とアドレス生成部２２１からのアドレス信号を入力する。偶数用データ展開部２１９は小規模記憶部２１５に記憶されているデータを展開し、展開された信号を展開偶数データ記憶部２２２に出力する。展開偶数データ記憶部２２２は、受け取った小規模記憶部２１５の偶数領域の展開データを記憶する。展開偶数データ記憶部２２２は偶数用データ展開部２１９の出力信号とアドレス生成部２２１からのアドレス信号を入力して、偶数用データ展開部２１９の出力信号をそのアドレス信号により指定されたアドレス上に記憶する。さらに、偶数用データ展開部２１９はアドレス生成部２２１からのアドレス信号も入力し、そのアドレス信号によって指定されたアドレス上に記憶されているデータを読み出しそれを出力する。
【００９５】
同様に、奇数データ展開ブロック２４３の奇数用データ展開部２２０は、符号化データ記憶部２４１の奇数オア回路２１８の出力信号とアドレス生成部２２１からのアドレス信号を入力する。奇数用データ展開部２２０は小規模記憶部２１５に記憶されているデータを展開して、展開されたデータを展開奇数データ記憶部２２３へ出力する。そして展開奇数データ記憶部２２３は、小規模記憶部２１５の奇数領域に記憶されていたデータの展開データを記憶する。展開奇数データ記憶部２２３は奇数用データ展開部２２０の出力信号とアドレス生成部２２１のアドレス信号を入力し、奇数用データ展開部２２０の出力信号をそのアドレス信号が指定するアドレス上に記憶する。さらに、奇数用データ展開部２２０はアドレス生成部２２１により生成されたアドレス信号も入力し、そのアドレス信号が指定するアドレス上に記憶されているデータを読み出してそれを出力する。
【００９６】
偶数用データ展開部２１９、奇数用データ展開部２２０、展開偶数データ記憶部２２２および展開奇数データ記憶部２２３はＲＡＭによって構成されることが好ましいが、特にこれに限定はされない。
【００９７】
以下に図１７に示したタイミングチャートを参照しながらデータの符号化処理について説明する。
【００９８】
（１）図１７に見られるように、シンボル（ａ）が次のシンボルに代わったとき（Ｔ−１→Ｔ）、対応するアドレス信号（ｂ）は０００ｈに設定される。そのアドレス上では重み付け平均データ（ｃ）は０２５ｈである。ここで、０２５ｈの重み付け平均データは第１しきい値０３０ｈよりも小さいため、この重み付け平均データは小規模記憶部２１５には格納されない。
（２）次のアドレス信号、すなわち００１ｈにおいて、このアドレス上の重み付け平均データは０３２ｈであり、これは第１しきい値０３０ｈよりも大きい。従って、０３２ｈの重み付け平均データとそれに対応する００１ｈのアドレス信号は小規模記憶部２１５内のアドレス０００ｈに格納される。
（３）次のアドレス信号である００２ｈでは、重み付け平均データは０２Ｃｈでありこれは第１しきい値０３０ｈよりも小さい。よって重み付け平均データは小規模記憶部２１５には記憶されない。
（４）次のアドレス信号００３ｈでは、重み付け平均データは０ＡＢｈでありこれは第１しきい値０３０ｈよりも大きい。従って０ＡＢｈの重み付け平均データとそれに対応する００３ｈのアドレス信号は小規模記憶部２１５のアドレス００１ｈに記憶される。
（５）次のアドレス信号００４ｈでの重み付け平均データは１２５ｈであり、これは第１しきい値０３０ｈよりも大きい。従って１２５ｈの重み付け平均データとそれに対応する００４ｈのアドレス信号が小規模記憶部２１５のアドレス００２ｈに格納される。
（６）．．．（以下省略）
【００９９】
上述したように、小規模記憶部２１５には、重み付け平均データのうち第１しきい値よりも大きい部分のみとそれに対応するアドレス信号だけが格納される。従って、記憶部のメモリ容量を格段に小さくすることが可能となる。
【０１００】
本発明の第３実施例にかかる符号分割多重アクセス受信装置のデータ展開動作について、図１６および図１８（Ａ）、（Ｂ）を参照しながら説明する。
【０１０１】
図１８（Ａ）は本発明の第３実施例によるデータ展開動作を示すテーブルであり、図１８（Ｂ）はそのタイミングチャートである。
【０１０２】
データ展開処理は、図１６に見られるアドレス生成部２２１、符号化データ記憶部２４１および偶数データ展開ブロック２４２、奇数データ展開ブロック２４３により実行される。
【０１０３】
ここで、今小規模記憶部２１５は図１８（Ａ）に示したテーブル内のデータを記憶すると想定する。読み出し許可（Ｒｅａｄ  ＥＮ）信号生成部２１６により生成されるイネーブル信号がＬＯＷのとき、小規模記憶部２１５はそのイネーブル信号に基づいて”０”の信号を出力する。一方、イネーブル信号がＨＩＧＨのときには、小規模記憶部２１５は図１８（Ｂ）に示すように重み付け平均データ（ｂ）とそれに対応するアドレス信号（ａ）を出力する。偶数オア回路２１７と奇数オア回路２１８の両方が小規模記憶部２１５の出力信号を入力し、それぞれでオア操作が実行される。
【０１０４】
読み出し許可（Ｒｅａｄ  ＥＮ）信号生成部２１６が出力するイネーブル信号のひとつずつが小規模記憶部２１５の一つの領域と対応付けられている。第３実施例においては、小規模記憶部２１５は１０個の領域を持っているので、１０の異なるイネーブル信号が用意される。ここで、偶数番目の小規模記憶部用のイネーブル信号の５本すべてが同時にＨＩＧＨになることがないように、また奇数番目の小規模記憶部用のイネーブル信号の５本すべてが同時にＨＩＧＨになることがないように、制御されている。よって、偶数オア回路２１７に入力される信号は、１本だけがアドレス信号と重み付け平均データを入力し、他の４本は“０”を入力する。よって、偶数オア回路２１７が出力する信号は、偶数番目のイネーブル信号がＨＩＧＨの小規模記憶部２１５が出力するアドレス信号とその重み付け平均データである。同様に、奇数オア回路２１８に入力される信号は、１本だけがアドレス信号と重み付け平均データを入力し、他の４本は“０”を入力する。よって、奇数オア回路２１８が出力する信号は、奇数番目のイネーブル信号がＨＩＧＨの小規模記憶部２１５が出力するアドレス信号とその重み付け平均データである。
【０１０５】
アドレス生成部２２１は図１８（Ｂ）の（３）に示したアドレス信号を出力する。アドレス信号（３）のタイミングはシンボル（２）のタイミングに同期している。詳述すると、シンボル（２）が次のシンボルに変わるときのアドレス信号は０００ｈであり、これは３ＦＦｈまでインクリメントし、また、シンボルが変化したと同時に０００ｈにクリアする。
【０１０６】
偶数用データ展開部２１９は偶数オア回路２１７の出力信号（１）とアドレス生成部２２１が出力するアドレス信号（３）を入力し、展開処理を実行する。具体的には、偶数用データ展開部２１９は偶数オア回路２１７の出力信号のアドレス部分とアドレス生成部２２１から入力したアドレス信号とを比較する。これらのアドレスが一致しないとき、偶数用データ展開部２１９は“０”の信号を出力し、一方両アドレス信号が一致した場合には偶数オア回路２１７の出力のうち重み付け平均データ部分を出力する。そして、小規模記憶部２１５が読み出すアドレスを一つアップさせる。
【０１０７】
展開偶数データ記憶部２２２は図１８（Ｂ）に示した偶数用データ展開部２１９の出力信号（４）とアドレス生成部２２１のアドレス信号とを入力し、偶数用データ展開部２１９の出力信号を、入力したアドレス信号が指定するアドレスに記憶させる。また、展開偶数データ記憶部２２２からはアドレス生成部２２１が出力したアドレス信号が指定するアドレスのデータが読み出される。
【０１０８】
以下に、図１８（Ｂ）を参照しながらデータ展開処理動作を詳細に説明する。
【０１０９】
（１）図１８（Ｂ）に見られるように、シンボルがＴに変わったとき、アドレス生成部２２１により生成された（３）のアドレス信号０００ｈは、偶数オア回路２１７の出力信号の一部である（１）（ａ）のアドレス信号００１ｈと比較される。図１８（Ｂ）に見られるように、両アドレスは一致していないので、偶数用データ展開部２１９は０ｈ信号を出力する。
（２）次に、アドレス生成部２２１が出力する信号００１ｈと、偶数オア回路２１７が出力する信号の一部であるアドレス信号００１ｈとが比較される。これらのアドレスは一致しているので、偶数用データ展開部２１９の出力信号として、偶数オア回路２１７が出力する信号の一部であるアドレス００１ｈに対応する（１）（ｂ）の重み付け平均データ０３２ｈを出力する。また、偶数用データ展開部２１９は小規模記憶部２１５に、アドレス００１ｈで保持しているデータを読み出すよう指示信号を出力する。
（３）次に、小規模記憶部２１５に記憶されているアドレス００１ｈのデータが偶数オア回路２１７に出力される。そして、アドレス生成部２２１の出力であるアドレス信号００２ｈが偶数オア回路２１７の出力信号の一部であるアドレス００３ｈと比較される。この場合には一致していないので、偶数用データ展開部２１９は０ｈ信号を出力する。
（４）アドレス生成部２２１が出力するパート（３）におけるアドレス信号００３ｈが偶数オア回路２１７の出力信号の一部である（１）（ａ）のアドレス００３ｈと比較される。両アドレスは一致しているので、偶数用データ展開部２１９は、小規模記憶部２１５により出力されたアドレス００３ｈに対応する（１）（ｂ）の重み付け平均データ０ＡＢｈを出力する。続けて偶数用データ展開部２１９は小規模記憶部２１５に指示信号を出力して、アドレス００２ｈで記憶されたデータを出力する。
（５）次に、小規模記憶部２１５中のアドレス００２ｈで格納されているデータが偶数オア回路２１７に出力される。そして、アドレス生成部２２１の出力であるアドレス信号００４ｈが、偶数オア回路２１７の出力信号の一部であるアドレス００４ｈと比較される。両アドレスは一致するので、偶数用データ展開部２１９は小規模記憶部２１５により出力されたアドレス００４ｈに対応する（１）（ｂ）での重み付け平均データ１２５ｈを出力する。続けて、偶数用データ展開部２１９は指示信号を小規模記憶部２１５に出力してアドレス００３ｈに記憶されているデータを出力させる。
（６）小規模記憶部２１５のアドレス００３ｈ番地に記憶されているデータが偶数オア回路２１７に出力される。そして、アドレス生成部２２１の出力であるアドレス信号００５ｈが偶数オア回路２１７の出力信号の一部であるアドレス００５ｈと比較される。これらのアドレスは一致しているので、偶数用データ展開部２１９は、小規模記憶部２１５により出力されるアドレス００５ｈに対応する（１）（ｂ）での重み付け平均データ０９Ｄｈを出力する。さらに、偶数用データ展開部２１９は指示信号を小規模記憶部２１５に出力してアドレス００４ｈに格納されているデータを出力させる。
（７）．．．（以下省略）
【０１１０】
上記したように、小規模記憶部２１５に記憶されている符号化データをもともとあった大きさに展開することができる。
【０１１１】
奇数用データ展開部２２０と展開奇数データ記憶部２２３の動作は偶数用データ展開部２１９と展開偶数データ記憶部２２２の動作と同じであるので、ここでは説明を省略する。
【０１１２】
選択部２２４は展開偶数データ記憶部２２２の出力信号と展開奇数データ記憶部２２３の出力信号を入力し、これらの出力信号の一つを選択する。
【０１１３】
次に、本発明第３実施例にかかる符号分割多重アクセス受信装置の回路動作について図１６ないし図１９を参照しながら説明する。
【０１１４】
図１９は本発明第３実施例による符号分割多重アクセス受信装置の動作を示すタイミングチャートである。以下にスロットの変わり目における動作手順を順を追って説明する。
【０１１５】
（１）初めに、初期ステップとして、あらかじめスロット０のシンボル８において、小規模記憶部２１５の領域＃０に記憶されている符号化データが偶数用データ展開部２１９において展開しておく。
（２）次に、０スロットのシンボル９において、予め小規模記憶部２１５の領域＃１に記憶されている符号化データが奇数用データ展開部２２０にて展開しておく。
（３）続いて、スロット１のシンボル０において、あらかじめ小規模記憶部２１５の領域＃０のデータを展開しておいた偶数用データ展開部２１９が出力する出力信号と、パワー抽出部３２の出力信号であるパワーデータＰとについて、重み付け平均化部２４０により重み付け平均処理が実行される。そして、第１しきい値よりも大きい重み付け平均データとそれに対応するアドレス信号とが小規模記憶部２１５の領域＃０に記憶される。さらに同時に、小規模記憶部２１５の領域番号＃２に記憶されている符号化データが偶数用データ展開部２１９により展開される。
（４）次に、スロット１のシンボル１において、予め小規模記憶部２１５の領域＃１のデータを展開しておいた奇数用データ展開部２２０からの出力信号と、パワー抽出部３２が出力するパワーデータＰとについて、重み付け平均化部２４０により重み付け平均動作が実行される。そして、第１しきい値よりも大きい重み付け平均データとそれに対応するアドレス信号とが小規模記憶部２１５の領域＃１に記憶される。さらに同時に、小規模記憶部２１５の領域番号＃３に記憶されている符号化データが奇数用データ展開部２２０により展開される。
（５）続いて、スロット１のシンボル２において、あらかじめ小規模記憶部２１５の領域＃２のデータを展開しておいた偶数用データ展開部２１９が出力する出力信号と、パワー抽出部３２の出力信号であるパワーデータＰとについて、重み付け平均化部２４０により重み付け平均動作が実行される。そして、第１しきい値よりも大きい重み付け平均データとそれに対応するアドレス信号とが小規模記憶部２１５の領域＃２に記憶される。さらに同時に、小規模記憶部２１５の領域番号＃４に記憶されている符号化データが偶数用データ展開部２１９により展開される。
（６）次に、スロット１のシンボル４において、予め小規模記憶部２１５の領域＃３のデータを展開しておいた奇数用データ展開部２２０からの出力信号と、パワー抽出部３２が出力するパワーデータＰとについて、重み付け平均化部２４０により重み付け平均動作が実行される。そして、第１しきい値よりも大きい重み付け平均データとそれに対応するアドレス信号とが小規模記憶部２１５の領域＃３に記憶される。さらに同時に、小規模記憶部２１５の領域番号＃５に記憶されている符号化データが奇数用データ展開部２２０により展開される。
（７）続いて、スロット１のシンボル４において、あらかじめ小規模記憶部２１５の領域＃４のデータを展開しておいた偶数用データ展開部２１９が出力する出力信号と、パワー抽出部３２の出力信号であるパワーデータＰとについて、重み付け平均化部２４０により重み付け平均処理が実行される。そして、第１しきい値よりも大きい重み付け平均データとそれに対応するアドレス信号とが小規模記憶部２１５の領域＃４に記憶される。さらに同時に、小規模記憶部２１５の領域番号＃６に記憶されている符号化データが偶数用データ展開部２１９により展開される。
．．．（以下省略）
【０１１６】
従来の装置においては、記憶部は１０シンボル、すなわち１０２４００ビットのメモリ容量を必要としていた。しかし、本発明による回路とその動作を用によれば、小規模記憶部２１５の一つの領域は６４０ビットのメモリ領域である場合、６４００ビット（６４０ビット×１０シンボル分）のメモリ領域で十分である。一方、偶数記憶部と奇数記憶部はそれぞれ１シンボル分、すなわち１０２４０ビット×２＝２０４８０ビットが必要となる。よって、本発明回路によれば、記憶素子は６４００に２０４８０を足して２６８８０ビットとなり、従来の回路と比較すると、大幅に記憶素子を小さくすることが可能となる。
【０１１７】
上記では本発明の実施例をいくつかの例にとって説明した。しかし、本発明はこれらに限定されるものではなく、外にもさまざまな変形例や改善例が可能であることは当業者にとって明らかである。
【０１１８】
【発明の効果】
上述のように、本発明によれば、符号分割多重アクセス装置のメモリ容量と回路構成を小さくすることができる。また、データを符号化するために必要なメモリの容量を大幅に節約することができる。
【０１１９】
さらに、本発明によれば、記憶部には第１しきい値よりも大きいデータとその対応アドレス信号だけを記憶しておくだけで良い。従って、メモリ容量を小さくすることが可能となる。
【０１２０】
またさらに、本発明によれば、符号データ記憶部には符号化された小さな容量のデータで記憶し、その後その符号化データを後に展開することで下もとの大きさのデータに戻すことが可能である。従って、ここでもメモリ容量の小規模化に貢献することができ、その結果としてデータを記憶させるための回路構成ひいては受信装置自体を小型化することができる。
【図面の簡単な説明】
【図１】本発明が適用される移動体電話システムの一例を示すブロック図である。
【図２】図１に見られる無線基地局を示すブロック図である。
【図３】移動体端末、すなわち携帯電話に盛り込まれる回路の概念を示すブロック図である。
【図４】符号分割多重アクセス通信システムに用いられる従来の受信装置の概念を示すブロック図である。
【図５】図４に見られるパワー抽出部により抽出されたパワーデータを示すグラフである。
【図６】（１）ないし（４）は、抽出されたパワーデータと平均化されたパワーデータを示すグラフである。
【図７】本発明の第１実施例にかかる符号分割多重アクセス受信装置を示すブロック図である。
【図８】（Ａ）、（Ｂ）ともに平均データ記憶部を示すブロック図である。
【図９】図７に見られる本発明によるデータ符号化部を示すブロック図である。
【図１０】図９に見られるデータ符号化部の動作を表すタイミングチャートである。
【図１１】図９に見られる符号化データ記憶部に記憶された符号化データの内容を示すテーブルである。
【図１２】図９に見られるデータ解凍部を示すブロック図である。
【図１３】図１２に見られるデータ解凍部の動作を表すタイミングチャートである。
【図１４】データ解凍部により展開される前の符号化データ記憶部に記憶される符号化データの内容を示すテーブルである。
【図１５】本発明の第２実施例による符号分割多重アクセス受信装置を示すブロック図である。
【図１６】本発明の第３実施例による符号分割多重アクセス受信装置の要部を示す回路ブロック図である。
【図１７】本発明第３実施例によるデータ符号化動作のタイミングを示すタイミングチャートである。
【図１８】（Ａ）は本発明の第３実施例による展開動作を示すテーブル、（Ｂ）はそのタイミングチャートである。
【図１９】本発明第３実施例による符号分割多重アクセス受信装置の動作を示すタイミングチャートである。
【符号の説明】
Ｐ…パワーデータ
２１０…第１乗算器
２１１…第２乗算器
２１２…加算器
２１３…第１比較部
２１４…書き込み許可（Ｗｒｉｔｅ  ＥＮ）信号生成部
２１５…小規模記憶部
２１６…読み出し許可（Ｒｅａｄ  ＥＮ）信号生成部
２１８…奇数オア回路
２１９…偶数用データ展開部
２２０…奇数用データ展開部
２２１…アドレス生成部
２２２…展開偶数データ記憶部
２２３…展開奇数データ記憶部
２２４…選択部
２３０…第２比較部
２３２…パワー抽出部
２４０…重み付け平均化部
２４１…符号化データ記憶部
２４２…偶数データ展開ブロック
２４３…奇数データ展開ブロック
【図１】
0003544337.tif 000002
【図２】
0003544337.tif 000003
【図３】
0003544337.tif 000004
【図４】
0003544337.tif 000005
【図５】
0003544337.tif 000006
【図６】
0003544337.tif 000007
【図７】
0003544337.tif 000008
【図８】
0003544337.tif 000009
【図９】
0003544337.tif 000010
【図１０】
0003544337.tif 000011
【図１１】
0003544337.tif 000012
【図１２】
0003544337.tif 000013
【図１３】
0003544337.tif 000014
【図１４】
0003544337.tif 000015
【図１５】
0003544337.tif 000016
【図１６】
0003544337.tif 000017
【図１７】
0003544337.tif 000018
【図１８】
0003544337.tif 000019
【図１９】
0003544337.tif 000020